(57)【要約】      （修正有）【課題】ディスプレ等を見る者がその頭部を本体ケースから不要に離すことなく会話ができる無線携帯端末装置を提供する。【解決手段】無線携帯端末装置１の使用者は、その頭部を本体ケース１１に近接させることにより、本体ケース１１に設けられた音声出力手段から出力される音声を耳の近傍で聴き取ることができ、同時に、本体ケース１１に設けられた音声入力手段に自分の音声を入力することができる。この状態で、使用者は会話を行うために、本体ケース１１に向って通常の声の大きさで話せば足り、また音声出力手段の出力は最小限に設定すれば足りる。このため、使用者は、会話の内容が周囲に漏れることを特に心配することなく、また自分の声が周囲に響くのを抑えることもできる。【選択図】図２
2007281859.tif 000002
【特許請求の範囲】
【請求項１】
音声及び画像を、それぞれ音声データ及び画像データに変換し、前記音声データ及び画像データによる双方向通信を実現できる受信機、及び送信機を備える無線携帯端末装置において、
前記送信機に音声を入力する音声入力手段、及び前記受信機が受信した音声データに基づく音声を出力する音声出力手段を、本体ケースに設け、
前記受信機が画像データに基づく画像を出力する画像表示手段を、伸縮自在な接続手段により前記本体ケースに接続したことを特徴とする無線携帯端末装置。
【請求項２】
前記接続手段が、前記画像表示手段を一端に取付け、前記本体ケースに他端を出没自在に支持された連結部材から成ることを特徴とする請求項１に記載の無線携帯端末装置。
【請求項３】
前記接続手段の一端に、前記画像表示手段を支持する可動ケースが取付けられ、前記送信機に画像を入力する画像入力手段が、前記本体ケース及び前記可動ケースにそれぞれ設けられたことを特徴とする請求項２に記載の無線携帯端末装置。
【発明の詳細な説明】
【技術分野】
【０００１】
本発明は、音声及び画像情報を双方向通信できる無線携帯端末装置に関する。
【背景技術】
【０００２】
従来、所謂テレビ電話機と称される無線携帯端末装置は、音声及び画像をそれぞれ音声データ及び画像データに変換し、この音声データ及び画像データによる双方向通信を実現できる受信機、及び送信機を備える。
【０００３】
無線携帯端末装置を２者がそれぞれ使用して互いに会話する場合、２者のうち一方の者が使用する無線携帯端末装置から、一方の者の音声を音声データとして、他方の者が使用する無線携帯端末装置に送信できる。これにより、他方の者は、その無線携帯端末装置のスピーカ等（音声出力手段）で一方の者の音声を聴くことができる。同時に、一方の者が使用する無線携帯端末装置から、一方の者の容姿を画像データとして、他方の者が使用する無線携帯端末装置に送信できる。これにより、他方の者は、その無線携帯端末装置のディスプレ等（画像表示手段）で、一方の者の容姿を見ることができる。
【０００４】
この他、ディスプレ等を有する携帯電話機に係る技術が、特許文献１，２に開示されている。
【特許文献１】特開２００２−１８８４３６号公報
【特許文献２】特開２００１−３０５８３３号公報
【発明の開示】
【発明が解決しようとする課題】
【０００５】
上記のディスプレ等は、無線携帯端末装置の本体ケースに設けられているので、ディスプレ等に表示される画像を見る者は、その頭部を本体ケースからある程度離さなければならない。これは、ディスプレ等を見る者が、その目を同ディスプレ等に近づけ過ぎると、画像が見難くなるためである。通常、ディスプレ等から目までの距離は、約３０〜４５ｃｍが適当であるとされている。
【０００６】
しかしながら、音声を送信機に入力するマイクロホン等（音声入力手段）、及びスピーカ等は、それぞれ本体ケースに設けられている。上記のように画像を見る者の頭部を本体ケースから離した場合、その分、画像を見る者は、本体ケースに向って大声で話さなければならず、またスピーカ等の出力を不要に増大しなければならない。このため、会話の内容が周囲に漏れ、或いは周囲の者が大声で迷惑することになる。
【０００７】
そこで、本発明は、上記の事情に鑑みて為されたものであり、その目的とするところは、ディスプレ等を見る者がその頭部を本体ケースから不要に離すことなく会話ができる無線携帯端末装置を提供することにある。
【課題を解決するための手段】
【０００８】
本発明は、音声及び画像を、それぞれ音声データ及び画像データに変換し、前記音声データ及び画像データによる双方向通信を実現できる受信機、及び送信機を備える無線携帯端末装置に係るものであり、前記送信機に音声を入力する音声入力手段、及び前記受信機が受信した音声データに基づく音声を出力する音声出力手段を、本体ケースに設け、前記受信機が画像データに基づく画像を出力する画像表示手段を、伸縮自在な接続手段により前記本体ケースに接続したことを特徴とする。
【０００９】
更に、本発明に係る無線携帯端末装置は、前記接続手段が、前記画像表示手段を一端に取付け、前記本体ケースに他端を出没自在に支持された連結部材から成ることを特徴とする。
【００１０】
更に、本発明に係る無線携帯端末装置は、前記接続手段の一端に、前記画像表示手段を支持する可動ケースが取付けられ、前記送信機に画像を入力する画像入力手段が、前記本体ケース及び前記可動ケースにそれぞれ設けられたことを特徴とする。
【発明の効果】
【００１１】
本発明に係る無線携帯端末装置を使用する者（以下で「使用者」と記す。）が会話するときに、接続手段を伸長させれば、使用者の頭部に本体ケースを近接させた状態で、使用者の頭部から画像表示手段を適度に離すことができる。これにより、使用者は画像表示手段を鮮明に見ることができる。しかも、使用者は会話の内容が周囲に漏れることを特に心配することなく、また自分の声が周囲に響くのを抑えることもできる。
【００１２】
更に、接続手段が、画像表示手段を一端に取付け他端を本体ケースに出没自在に支持された連結部材から成る場合、連結部材を本体ケースから突出させれば、本体ケースからディスプレを離せるので、上記の効果を達成することができる。或いは、本体ケースに連結部材の他端を没入させれば、当該無線携帯端末装置の全長を携帯に適した長さとなるよう短縮することができる。
【００１３】
更に、本体ケース及び可動ケースにそれぞれ画像入力手段が設けられている場合、使用者は、その何れかの画像入力手段を選択できる。このため、接続手段を伸長させた状態で、使用者はその頭部から離れて位置する可動ケースに設けられた画像入力手段に、自分の容姿等を画像として送信機に入力することができる。或いは、接続手段を短縮させた状態で、本体ケースに設けられた画像入力手段に、使用者は自分の容姿等を画像として入力することができる。
【発明を実施するための最良の形態】
【００１４】
以下で、周知又は自明の要素については一般名称を記すものとし、その具体的な説明又は詳細な図示は省略する。
【００１５】
無線携帯端末装置とは、所謂テレビ電話機、携帯電話機、モバイルコンピュータ等の呼称を問わず、音声及び画像を、それぞれ音声データ及び画像データに変換し、音声データ及び画像データによる双方向通信を実現できる受信機、及び送信機を備えるものを広く意味する。
【実施例１】
【００１６】
図１，２に示すように、無線携帯端末装置１は、受信機２と、送信機３と、受信機２及び送信機３の入出力動作を制御する制御装置４と、音声を入力する音声入力手段５と、音声を出力する音声出力手段６と、画像を表示する画像表示手段７と、画像を入力する第１，２の画像入力手段８，９と、伸縮自在な接続手段１０とを備える。
【００１７】
受信機２、送信機３、制御装置４、音声入力手段５、音声出力手段６、及び第１の画像入力手段８は、筐体である本体ケース１１に装備されている。音声入力手段５は、本体ケース１１の内側に配置されたマイクロホンを主体とし、本体ケース１１に形成された貫通孔を通して使用者の発する音声を送信機３に入力することができる。この音声は音声データに変換され、無線携帯端末装置１と双方向通信を行う他の無線携帯端末装置へ送信される。
【００１８】
音声出力手段６は、本体ケース１１の内側に配置されたスピーカ、又は後述のイヤホーンを主体とし、受信機２が受信した音声データに基づく音声を、本体ケース１１に形成された別の貫通孔を通して出力することができる。上記の音声データは他の無線携帯端末装置により送信されるものである。第１の画像入力手段８は、ＣＣＤ又はＣＭＯＳであり、使用者の容姿を画像データとして制御装置４を介して送信機３に入力するものである。
【００１９】
画像表示手段７、及び第２の画像入力手段９は、可動ケース１２に装備されている。画像表示手段７は、受信機２が受信した画像データを可視像として可動ケース１２の正面に表示する液晶ディスプレである。上記の画像データは他の無線携帯端末装置により送信されるものである。第２の画像入力手段９は、可動ケース１２に装備されている点を除いて、第１の画像入力手段８と同様のものである。
【００２０】
第１，２の画像入力手段８，９の何れに入力される画像データを、送信機３に送信させるかは、使用者が適時に選択し制御装置４に指令することができる。例えば、電子メールにより文書又は画像を授受するときのように、使用者が無言で通信を行う場合には、本体ケース１１に設けられた第１の画像入力手段８に、使用者の容姿を画像として入力しても良い。
【００２１】
接続手段１０は、図３に示すように、画像表示手段７が設けられた可動ケース１２をヒンジ７１を介して一端に取付けた連結部材１３と、本体ケース１１に他端を出没自在に支持された連結部材１４と、これらの間に配置された複数の連結部材１５から成るものである。ヒンジ７１は、画像表示手段７の角度を矢印θで指した方向に調節するものである。図４に示すように、複数の連結部材１４，１５は、それぞれの一端及び他端を開放した中空体であり、互いに外形の大きさを違えている。複数の連結部材１３，１４，１５の中の一の連結部材を、他の連結部材１４，１５に嵌入することができる。
【００２２】
本実施例では、図３に示す複数の連結部材１３，１４，１５のそれぞれの外形を、図中の左から右に向うに従い順に小さくなるよう違えている。そして、複数の連結部材１３，１４，１５の中の一の連結部材を、これに隣接する他の連結部材１４，１５に嵌入することにより、互いに隣接する連結部材同士を接続している。一の連結部材に対して他の連結部材が出没することにより、接続手段１０の伸縮を実現することができる。
【００２３】
図５に示す符号１６，１７は、突起とストッパとを各々指している。接続手段１０が最大に伸長したときに、個々の連結部材１４，１５の一端の内面に設けたストッパ１７が、個々の連結部材１３，１４，１５の他端に設けた突起１６を掛止めする。これにより、互いに隣接する連結部材同士の脱落が防止されている。
【００２４】
以上に述べた無線携帯端末装置１によれば、使用者は、その頭部を本体ケース１１に近接させることにより、本体ケース１１に設けられた音声出力手段６から出力される音声を耳の近傍で聴き取ることができ、同時に、本体ケース１１に設けられた音声入力手段５に自分の音声を入力することができる。この状態で、接続手段１０を伸長させれば、使用者は、その頭部から画像表示手段７を約３０〜４５ｃｍ離すことができる。
【００２５】
従って、使用者は、その頭部に本体ケース１１を近接させた状態で会話しながら画像表示手段７を鮮明に見ることができる。しかも、使用者は会話を行うために、本体ケース１１に向って通常の声の大きさで話せば足り、また音声出力手段６の出力は最小限に設定すれば足りる。このため、使用者は、会話の内容が周囲に漏れることを特に心配することなく、また自分の声が周囲に響くのを抑えることもできる。
【００２６】
当該無線携帯端末装置１を使用しないとき、又は会話を行わないとき、使用者が接続手段１０を短縮し、本体ケース１１に総ての連結部材１３，１４，１５を没入させれば、画像表示手段７を本体ケース１１に収納することができる。これにより、当該無線携帯端末装置１の全長を携帯に適した長さとなるよう短縮することができる。
【実施例２】
【００２７】
既に実施例１で述べた要素については、その説明の重複を避けるため、以下で引続き同じ呼称又は同じ符号を用いるものとする。
【００２８】
本発明に係る無線携帯端末装置１に適用する接続手段は、その一端に画像表示手段７が取付けられ、他端が本体ケース１１に接続されるものであれば、実施例１に示した形態に限定されるものではない。即ち、図６に示すように、接続手段１０１は、可撓性に富む鋼帯から成る連結部材１３１の一端に可動ケース１２が取付けられ、連結部材１３１の他端が本体ケース１１に内蔵した巻取軸１９に接続されたものである。
【００２９】
巻取軸１９は、連結部材１３１を巻取る方向に回転するように、図に表れていない発条で付勢されている。また、巻取軸１９に固定された円板１９１の周縁には、複数の鉤１９２が等ピッチで形成され、本体ケース１１には、個々の鉤１９２を掛止めできるラッチ爪２０が設けられている。
【００３０】
使用者が可動ケース１２を本体ケース１１から引き離せば、これに従い連結部材１３１が本体ケース１１から突出する。この状態で、ラッチ爪２０が鉤１９２を掛止めすることにより、発条の力に抗して円板１９１の回転を止めることができるので、連結部材１３１が巻取軸１９に巻取られることはない。従って、使用者は本体ケース１１から可動ケース１２を引き離したままの状態で会話を行えるので、実施例１で述べた効果を達成することができる。
【００３１】
また、使用者がラッチ爪２０を解除すれば、連結部材１３１は発条の力で巻取軸１９に巻取られるので、連結部材１３１の全体が本体ケース１１に没入し、可動ケース１２を本体ケース１１に近接させることができる。これにより、当該無線携帯端末装置１の全長を携帯に適した長さとなるよう短縮することができる。
【００３２】
更に、図７に示すように、音声出力手段６としてイヤホーンを適用し、このイヤホーンを受信機２に可撓線６１を介して接続しても良い。また、上記の巻取軸１９と同様の巻取機構により可撓線６１を巻取れるようにしても良い。この場合、使用者の頭部から本体ケース１１が離れることがあっても、これに関わり無く音声出力手段６を使用者の耳の近傍に配置できる。このため、音声出力手段６から出力される音声を、使用者の耳に最良の音質で伝えることができ、しかも音声が周囲に漏れるのを確実に防止することができる。また、使用者は、音声出力手段６及び可撓線６１を本体ケース１１の内部に設けた格納スペース６２に格納できるので、当該無線携帯端末装置１を携帯するのに便利である。この他の構成、及び効果については実施例１と同様である。
【００３３】
尚、本発明は、その趣旨を逸脱しない範囲で当業者の知識に基づいて種々なる改良、修正、変形を加えた態様で実施できる。例えば、図８に示すように、本体ケース１１の正面には、テンキー及びスイッチ類を有する操作パネル１１１が配置されてている。また、操作パネル１１１を開閉する表蓋１１２を本体ケース１１に取付けても良い。
【００３４】
また、無線携帯端末装置１は、２つ以上の画像表示手段７を備えても良い。この場合、図３の連結部材１３の一端に取付けた第１の画像表示手段７とは別に、第２の画像表示手段７２を本体ケース１１の正面に取付けても良い。更に、図９に示すように、本体ケース１１に開閉自在な裏蓋１１３を取付け、裏蓋１１３の内側に第３の画像表示手段７３を設けても良い。
【産業上の利用可能性】
【００３５】
本発明は、電話回線、ＷＡＮ、又はインターネットの他、私設のＬＡＮを利用したデータ通信にも利用することもできる。
【図面の簡単な説明】
【００３６】
【図１】本発明の実施例１に係る無線携帯端末装置の構成を示すブロック図。
【図２】（ａ）は本発明の実施例１に係る無線携帯端末装置の正面図、（ｂ）はその側面図。
【図３】（ａ）は本発明の実施例１に係る無線携帯端末装置に適用した接続手段の正面図、（ｂ）はその側面図。
【図４】（ａ）は本発明の実施例１に係る無線携帯端末装置に適用した接続手段の要部を示す斜視図、（ｂ）はその変形例を示す斜視図。
【図５】（ａ）は本発明の実施例１に係る無線携帯端末装置に適用した接続手段の要部を示す断面図、（ｂ）はそのＸ−Ｘ線断面図。
【図６】本発明の実施例２に係る無線携帯端末装置に適用した接続手段の正面図。
【図７】本発明の実施例２に係る無線携帯端末装置に適用した音声入力手段の動作を説明する正面図。
【図８】（ａ）は、発明の実施例１，２に係る無線携帯端末装置に適用した本体ケースの変形例を示す側面図、（ｂ）はその正面図、（ｃ）はその本体ケースを展開した状態を示す正面図。
【図９】（ａ）は、本発明の実施例１，２に係る無線携帯端末装置に適用した本体ケースの更なる変形例を示す端面図、（ｂ）はその側面図。
【符号の説明】
【００３７】
１：無線携帯端末装置
２：受信機
３：送信機
４：制御装置
５：音声入力手段
６：音声出力手段
７，７２，７３：画像表示手段
８，９：画像入力手段
１０，１０１：接続手段
１１：本体ケース
１２：可動ケース
１３，１４，１５，１３１：連結部材
【図１】
2007281859.tif 000003
【図２】
2007281859.tif 000004
【図３】
2007281859.tif 000005
【図４】
2007281859.tif 000006
【図５】
2007281859.tif 000007
【図６】
2007281859.tif 000008
【図７】
2007281859.tif 000009
【図８】
2007281859.tif 000010
【図９】
2007281859.tif 000011